(57)【要約】      （修正有）【課題】製造・生産がしやすく、クッション等が使用者の腰・背中に当たることによる違和感、さらに、背中の中央部分が支持されていないために使用者に不安定感を感じさせることを改善、無くすことができるマッサージ装置を提供する。【解決手段】本体部と、マッサージ部３とを備えるマッサージ装置であって、本体部は、座部と、背もたれ部とを有し、マッサージ部は、本体部の内部に設けられ、本体部の内部に移動可能であり、かつ、マッサージユニットを有し、背もたれ部は、マッサージユニットを覆う第１カバー５０と、第１カバーのマッサージユニットと異なる側に設けられている第１支持部６とを有する。【選択図】図４
0003228543.tif 000002
【実用新案登録請求の範囲】
【請求項１】
本体部と、マッサージ部とを備えるマッサージ装置であって、
前記本体部は、座部と、背もたれ部とを有し、
前記マッサージ部は、前記本体部の内部に設けられ、前記本体部の内部に移動可能であり、かつ、マッサージユニットを有し、
前記背もたれ部は、前記マッサージユニットを覆う第１カバーと、前記第１カバーの前記マッサージ部と異なる側に設けられている第１支持部とを有する、
マッサージ装置。
【請求項２】
前記背もたれ部は、使用者が前記座部に座るときの使用者の身長方向が長手方向になり、
前記第１支持部は、帯状であり、前記背もたれ部の前記長手方向と略並行している、
請求項１に記載のマッサージ装置。
【請求項３】
前記背もたれ部は第２支持部をさらに有し、
前記第２支持部は、帯状であり、前記第１カバーの前記第１支持部と同じ側に設けられており、前記背もたれ部の前記長手方向と略直交している、
請求項２に記載のマッサージ装置。
【請求項４】
前記第２支持部は２つ以上ある、
請求項３に記載のマッサージ装置。
【請求項５】
前記背もたれ部は、使用者が前記座部に座るときの使用者の身長方向が長手方向になり、
前記第１支持部は、帯状であり、前記背もたれ部の前記長手方向と略直交している、
請求項１に記載のマッサージ装置。
【請求項６】
前記第１支持部は２つ以上ある、
請求項１〜５のいずれか一項に記載のマッサージ装置。
【請求項７】
前記背もたれ部は、前記第１カバーと前記第１支持部を連結する第１連結部をさらに有する、
請求項１〜６のいずれか一項に記載のマッサージ装置。
【請求項８】
前記背もたれ部は、前記第１カバーと前記第２支持部を連結する第２連結部をさらに有する、
請求項３または４に記載のマッサージ装置。
【請求項９】
前記マッサージ装置は、前記第１支持部を覆う第２カバーをさらに有する、
請求項１〜８のいずれか一項に記載のマッサージ装置。
【考案の詳細な説明】
【技術分野】
【０００１】  本考案は、使用者に対し、もみ、叩き等の動作を実行するマッサージユニットを備えるマッサージ装置に関する。
【背景技術】
【０００２】  従来、特許文献１のような、施療子・マッサージユニットによる施療・マッサージ範囲を広く確保することができるとともに背もたれの溝（施療子・マッサージユニットが移動する経路）への人体の落ち込みが発生することもないマッサージ装置、例えば椅子型マッサージ機が提案された。
【特許文献】
【０００３】
【特許文献１】特開平６−２５４１２６公報
【考案の概要】
【考案が解決しようとする課題】
【０００４】  しかしながら、特許文献１のようなマッサージ装置はどうしても製造・生産しにくいこと、クッション等の厚みのある部品が背もたれの局部にしか配置されていないために使用者が座る際にクッション等が使用者の腰・背中に当たることによる違和感、さらに、使用者の背中の中央部分が支持されていないために使用者に不安定感を感じさせることがあった。
【課題を解決するための手段】
【０００５】  上記課題を解決するために、本考案にかかるマッサージ装置は下記態様を取りうる。
＜第１態様＞
本体部と、マッサージ部とを備えるマッサージ装置であって、
前記本体部は、座部と、背もたれ部とを有し、
前記マッサージ部は、前記本体部の内部に設けられ、前記本体部の内部に移動可能であり、かつ、マッサージユニットを有し、
前記背もたれ部は、前記マッサージユニットを覆う第１カバーと、前記第１カバーの前記マッサージ部と異なる側に設けられている第１支持部とを有する、
マッサージ装置。
＜第２態様＞
前記背もたれ部は、使用者が前記座部に座るときの使用者の身長方向が長手方向になり、
前記第１支持部は、帯状であり、前記背もたれ部の前記長手方向と略並行している、
＜第１態様＞に記載のマッサージ装置。
＜第３態様＞
前記背もたれ部は第２支持部をさらに有し、
前記第２支持部は、帯状であり、前記第１カバーの前記第１支持部と同じ側に設けられており、前記背もたれ部の前記長手方向と略直交している、
＜第２態様＞に記載のマッサージ装置。
＜第４態様＞
前記第２支持部は２つ以上ある、
＜第３態様＞に記載のマッサージ装置。
＜第５態様＞
前記背もたれ部は、使用者が前記座部に座るときの使用者の身長方向が長手方向になり、
前記第１支持部は、帯状であり、前記背もたれ部の前記長手方向と略直交している、
＜第１態様＞に記載のマッサージ装置。
＜第６態様＞
前記第１支持部は２つ以上ある、
＜第１態様＞〜＜第５態様＞のいずれか一つに記載のマッサージ装置。
＜第７態様＞
前記背もたれ部は、前記第１カバーと前記第１支持部を連結する第１連結部をさらに有する、
＜第１態様＞〜＜第６態様＞のいずれか一つに記載のマッサージ装置。
＜第８態様＞
前記背もたれ部は、前記第１カバーと前記第２支持部を連結する第２連結部をさらに有する、
＜第３態様＞または＜第４態様＞に記載のマッサージ装置。
＜第９態様＞
前記マッサージ装置は、前記第１支持部を覆う第２カバーをさらに有する、
＜第１態様＞〜＜第８態様＞のいずれか一つに記載のマッサージ装置。
【考案の効果】
【０００６】  本考案にかかるマッサージ装置は上記課題を解決することができる。すなわち、製造・生産しにくいこと、クッション等の厚みのある部品が背もたれの局部にしか配置されていないために使用者が座る際にクッション等が使用者の腰・背中に当たることによる違和感、さらに、使用者の背中の中央部分が支持されていないために使用者に不安定感を感じさせることを改善、無くすことができる。
【図面の簡単な説明】
【０００７】
【図１】本考案にかかるマッサージ装置の１つの実施例の斜視図である。
【図２】本考案にかかるマッサージ装置の１つの実施例でマッサージユニットが見える斜視図である。
【図３】本考案にかかるマッサージ装置の１つの実施例でマッサージユニットが見える平面図である。
【図４】本考案にかかるマッサージ装置の１つの実施例における背もたれに設置されている部品の（右側から見た）関係図である。
【図５】本考案にかかるマッサージ装置の１つの実施例における背もたれに設置されている部品の（正面から見た）関係図である。
【図６】本考案にかかるマッサージ装置のもう１つの実施例における背もたれに設置されている部品の（正面から見た）関係図である。
【図７】本考案にかかるマッサージ装置のもう１つの実施例における背もたれに設置されている部品の（正面から見た）関係図である。
【図８】本考案にかかるマッサージ装置のもう１つの実施例における背もたれに設置されている部品の（正面から見た）関係図である。
【図９】本考案にかかるマッサージ装置のもう１つの実施例における背もたれに設置されている部品の（正面から見た）関係図である。
【図１０】本考案にかかるマッサージ装置のもう１つの実施例における背もたれに設置されている部品の（正面から見た）関係図である。
【図１１】本考案にかかるマッサージ装置のもう１つの実施例における背もたれに設置されている部品の（正面から見た）関係図である。
【図１２】本考案にかかるマッサージ装置のもう１つの実施例における背もたれに設置されている部品の（正面から見た）関係図である。
【図１３】本考案にかかるマッサージ装置のもう１つの実施例における背もたれに設置されている部品の（正面から見た）関係図である。
【図１４】本考案にかかるマッサージ装置のもう１つの実施例における背もたれに設置されている部品の（正面から見た）関係図である。
【考案を実施するための形態】
【０００８】  以下、いくつかの具体的な実施例を用いて本考案の技術的思想を説明する。実施例における各部材は、実際の部材のスケールではなく、説明に適するスケールに基づいて描かれたものであることは、言うまでもない。
【実施例】
【実施例１】
【０００９】  図１〜図５を参照し、本実施例を説明する。本実施例は、マッサージ装置１が椅子型で構成されている。マッサージ装置１は、本体部２と、マッサージ部３とを備える。前記本体部２は、座部４と、背もたれ部５とを有する。前記マッサージ部３は、前記本体部２の内部に設けられ、前記本体部２の内部に移動可能であり、かつ、マッサージユニット３０を有する。前記背もたれ部５は、前記マッサージユニット３０を覆う第１カバー５０と、前記第１カバー５０の前記マッサージユニット３０と異なる側に設けられている第１支持部６とを有する。【００１０】  本実施例において、マッサージ部３は、前記本体部２の内部にレール３１に沿って上下移動できるが、上下移動できれば他の方法を採用してもよく、例えば特開平６−２５４１２６に記載の構成を採用してもよい。また、マッサージ部３は上下移動できるが、上下方向に加えて（同時にまたは交互に）前後方向（図１などに示す正面方向・後面方向）でも移動できる構成でもよく、前後方向のみ移動できる構成でもよい。
また、本実施例において、マッサージ部３は本体部２における背もたれ部５の部分において移動できるが、背もたれ部５および座部４の両方の部分において移動できるようにしても良い。【００１１】  また、マッサージユニット３０は従来のもの、例えば、特開平６−２５４１２６に記載の施療子を適用してもよいし、特開２００５−３３４２８５のローラ式を適用してもよい。
また、第１カバー５０は従来のもの、例えば、特開平６−２５４１２６に記載の布地からなる表カバーを適用してもよい。第１カバー５０の素材は特に制限がないが、少し弾性があったほうが座り心地がよい。【００１２】  第１支持部６は、使用者の背中を支持する。これにより、使用者が背もたれ部５の溝（マッサージユニット３０が移動する経路）へ落ち込むことを防止することができる。第１支持部６は、例えば図５のように、マッサージ装置１の上下方向（すなわち使用者が座部４に座るときの使用者の身長方向が長手方向）と略並行するよう、背もたれ部５に設置されてもよい。【００１３】  また、第１支持部６は、例えば図５のように、帯状になってもよい。
また、帯状の幅は制限がなく、素材にもよるが、約１ｃｍ〜２０ｃｍの範囲内、例えば１ｃｍ、２ｃｍ、３ｃｍ、１８ｃｍ、１９ｃｍ、２０ｃｍなどにしてもよい。【００１４】  さらに、第１支持部６の素材も特に制限がなく、使用者の背中を支持できればよく、例えば本革、ナイロン、ポリエステル、ポリ塩化ビニル（ＰＶＣ）、ポリウレタン（ＰＵ）、またはそれらの組合せを挙げることができる。【００１５】  また、第１支持部６は、例えば図４のように、前記第１カバー５０の前記マッサージ部３（前記マッサージユニット３０）と異なる側に設けられていることが好ましい。具体的に、第１支持部６は第１カバー５０の正面方向の側に設けられているのに対し、マッサージ部３（マッサージユニット３０）は第１カバー５０の後面方向の側に設けられている。【００１６】  この実施例１によれば、製造・生産しにくいこと、クッション等の厚みのある部品が背もたれの局部にしか配置されていないために使用者が座る際にクッション等が使用者の腰・背中に当たることによる違和感、さらに、使用者の背中の中央部分が支持されていないために使用者に不安定感を感じさせることを改善、無くすことができる。【００１７】  特に、第１支持部６は、前記第１カバー５０の前記マッサージ部３（前記マッサージユニット３０）と異なる側に設けられているため、第１支持部６はマッサージ部３と接触することは一切ないので、マッサージ部３のマッサージユニット３０（例えば特開２００５−３３４２８５のローラ）との絡みを無くすことができる。
なお、実施例１の説明において、図４も使用したが、この実施例１では第２支持部６０と第２カバー５１が含まれていない。
【実施例２】
【００１８】  実施例２について、実施例１との差異だけを説明する。説明がない限り、実施例１と同様であることを意味する。
図４と図５を参照し、実施例２はさらに第２支持部６０を備える。
第２支持部６０は、帯状であり、第１カバー５０の第１支持部６と同じ側に設けられており、背もたれ部５の長手方向と略直交している。【００１９】  第２支持部６０は、第１支持部６と異なるのが、伸びている方向だけである。すなわち、第１支持部６はマッサージ装置１の上下方向と略並行するのに対し、第２支持部６０はマッサージ装置１の上下方向と略直交している。【００２０】  この実施例２よれば、実施例１による効果をさらに向上させることができる。
すなわち、この実施例によれば、使用者への支持はより強固になるので、使用者への不安定感と違和感をさらに減らすことができる。【００２１】  なお、実施例２の説明において、図４も使用したが、この実施例２では第２カバー５１が含まれていない。
【実施例３】
【００２２】  実施例３について、実施例２との差異だけを説明する。説明がない限り、実施例２と同様であることを意味する。
図６を参照し、実施例３は第２支持部６０を２つ備える。
２つの第２支持部は、マッサージ装置１の上下方向において、略並行するように設置されている。【００２３】  この実施例３よれば、実施例２による効果をさらに向上させることができる。
すなわち、この実施例によれば、使用者への支持はより強固になるので、使用者への不安定感と違和感をさらに減らすことができる。通常、背もたれ部５の長さは例えば平均身長に合わせて設定されているので、身長の比較的に低い使用者と高い使用者にとって普通のマッサージ装置は使用しにくく、平均身長の使用者よりも違和感を覚えることがあるが、この実施例３によれば、身長の比較的に低い使用者と高い使用者にとっても使用しやすく、違和感の少ないマッサージを提供することができる。
この実施例３では、第２支持部６０を２つ備えるが、３つ以上備えても良い。
【実施例４】
【００２４】  実施例４について、実施例１との差異だけを説明する。説明がない限り、実施例１と同様であることを意味する。
図７を参照し、実施例４において、第１支持部６は背もたれ部５の長手方向と略直交している。【００２５】  この実施例４も製造・生産しにくいこと、クッション等の厚みのある部品が背もたれの局部にしか配置されていないために使用者が座る際にクッション等が使用者の腰・背中に当たることによる違和感、さらに、使用者の背中の中央部分が支持されていないために使用者に不安定感を感じさせることを改善、無くすことができる。
【実施例５】
【００２６】  実施例５について、実施例１との差異だけを説明する。説明がない限り、実施例１と同様であることを意味する。
図８を参照し、実施例５は第１支持部６を２つ備える。
２つの第１支持部６は、マッサージ装置１の左右方向において、略並行するように設置されている。【００２７】  この実施例５よれば、実施例１による効果をさらに向上させることができる。
すなわち、この実施例によれば、使用者への支持はより強固になるので、使用者への不安定感と違和感をさらに減らすことができる。通常、背もたれ部５の幅は例えば人の平均肩幅に合わせて設定されているので、肩幅の比較的に広い使用者と狭い使用者にとって普通のマッサージ装置は使用しにくく、平均肩幅の使用者よりも違和感を覚えることがあるが、この実施例５によれば、肩幅の比較的に広い使用者と狭い使用者にとっても使用しやすく、違和感の少ないマッサージを提供することができる。
この実施例５では、第１支持部６を２つ備えるが、３つ以上備えても良い。
なお、図９のように、左右方向に沿って伸びている第１支持部６を２つ備えてもよい。
【実施例６】
【００２８】  実施例６について、実施例１との差異だけを説明する。説明がない限り、実施例１と同様であることを意味する。
図１０を参照し、実施例６において、背もたれ部５は、第１カバー５０と第１支持部６を連結する第１連結部７をさらに有する。【００２９】  第１連結部７は、図１０のように、２つ「Ｘ」の箇所（すなわち第１連結部７の左側と右側だけ）において第１カバー５０と第１連結部７を連結しているが、第１連結部７の中央部分は第１カバー５０と連結していないので、第１支持部６は第１カバー５０と第１連結部７の間の隙間を通っている。【００３０】  この第１連結部７によれば、マッサージユニット３０（例えばローラ）が移動する時、第１カバー５０はマッサージユニット３０（例えばローラ）の移動（特に正面方向と後面方向での移動）によって移動することがあるが、第１支持部６と一緒に移動する。そのため、マッサージユニット３０（例えばローラ）の作動中も、使用者をしっかり支持できるので、使用者への不安定感と違和感をさらに減らすことができる。【００３１】  第１連結部７は、図１０だけでなく、例えば図１１のように第１連結部７が帯状に構成され、６つ「Ｘ」の箇所において第１カバー５０に連結されるようにしてもよく、この場合、連結箇所は６つだが、これに限定されず、８つ、１０つでもよく、第１連結部７の左側と右側全部が第１カバー５０に連結されても良い。さらに、図１２のように、上下方向に第１連結部７を２つ有しても良いし、図１３のように第１連結部７を直接第１カバー５０に連結しても良い。本考案でいう「連結」は、第１連結部７と第１カバー５０を固定してマッサージユニット３０（例えばローラ）の通常の移動の作動中も、第１支持部６と第１カバー５０が一緒に移動すれば、その手段を問わず、糸などで縫ってもよく、接着剤を使用してもよい。
【実施例７】
【００３２】  実施例７について、実施例２との差異だけを説明する。説明がない限り、実施例２と同様であることを意味する。
図１４を参照し、実施例７において、背もたれ部５は、第１カバー５０と第２支持部６０を連結する第２連結部８をさらに有する。【００３３】  第２連結部８は、その右上、右下、左上と左下の４箇所で第１カバー５０に固定されている。これにより、第１支持部６と第２支持部６０は第１カバー５０とともに移動する。
これにより、マッサージユニット３０（例えばローラ）が移動する時、第１カバー５０はマッサージユニット３０（例えばローラ）の移動（特に正面方向と後面方向での移動）によって移動することがあるが、第１支持部６と第２支持部６０も一緒に移動する。そのため、マッサージユニット３０（例えばローラ）の作動中も、使用者をしっかり支持できるので、使用者への不安定感と違和感をさらに減らすことができる。
【実施例８】
【００３４】  実施例８について、実施例１との差異だけを説明する。説明がない限り、実施例１と同様であることを意味する。
図４を参照し、実施例８において、前記マッサージ装置は第２カバー５１をさらに有する。【００３５】  第２カバー５１は、第１カバー５０、第１支持部６などの中、最も正面方向に配置されている。
これにより、第１支持部６および／または第２支持部６０が使用者への違和感をさらに減らすことができる。【００３６】  上記の実施例は、本考案を例示的に説明するに過ぎず、本考案を限定するものではない。本考案の主旨を逸脱しない範囲での様々な修正や変更は、いずれも本考案の請求の範囲に入る。
また、いつくかの実施例を用いて本考案を説明したが、これらの実施例を任意に複数組合せた形態も本考案の範囲に入る。すなわち、以上に説明した全ての技術内容は任意に複数組合せた形態も取りうる。
【符号の説明】
【００３７】１    マッサージ装置
２    本体部
３    マッサージ部
３０  マッサージユニット
３１  レール
４    座部
５    背もたれ部
５０  第１カバー
５１  第２カバー
６    第１支持部
６０  第２支持部
７    第１連結部
８    第２連結部
【図１】
0003228543.tif 000003
【図２】
0003228543.tif 000004
【図３】
0003228543.tif 000005
【図４】
0003228543.tif 000006
【図５】
0003228543.tif 000007
【図６】
0003228543.tif 000008
【図７】
0003228543.tif 000009
【図８】
0003228543.tif 000010
【図９】
0003228543.tif 000011
【図１０】
0003228543.tif 000012
【図１１】
0003228543.tif 000013
【図１２】
0003228543.tif 000014
【図１３】
0003228543.tif 000015
【図１４】
0003228543.tif 000016